【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
ネットワーク管理のためのシステムであって
複数のネットワーク・エレメント（２８ａ、２８ｂ、２８ｃ）と、
前記複数のネットワーク・エレメントに接続されるエレメント管理システム（ＥＭＳ）（１４）と、
前記ネットワーク・エレメントに動作可能に関連付けられている前記ＥＭＳおよび複数のＰＩＭクライアント（５２）にインターフェイスされる、プレゼンスおよびインスタント・メッセージング（ＰＩＭ）エンジン（５０）であって、前記ＰＩＭクライアントは前記ＰＩＭエンジンと論理的に通信し、前記ＰＩＭエンジンおよびＰＩＭクライアントは前記ＥＭＳと前記ネットワーク・エレメントとの間のプレゼンス・サービスおよびインスタント・メッセージングを提供する、プレゼンスおよびインスタント・メッセージング（ＰＩＭ）エンジンと、
前記ＥＭＳとネットワーク管理システム（ＮＭＳ）１２との間の通信のための北側インターフェイス手段（４６）と
を備えるネットワーク管理のためのシステム。
【請求項２】
請求項１に記載のネットワーク管理のためのシステムであって、プレゼンス・サービスおよびインスタント・メッセージングのために前記ＮＭＳ（１２）と動作可能に関連付けられるＰＩＭクライアントを更に含む、ネットワーク管理のためのシステム。
【請求項３】
請求項１に記載のネットワーク管理のためのシステムであって、前記ＥＭＳが、前記ＰＩＭクライアント（５２）と前記ＰＩＭエンジン（５０）との間のＰＩＭプレゼンス・サービスおよびインスタント・メッセージ・トラフィックに対処するため、および少なくとも１つの代替の標準通信プロトコルに更に対応するために、通信スタックを有するネットワーク仲介（２６）のためのアダプタを更に組み込む、ネットワーク管理のためのシステム。
【請求項４】
請求項３に記載のネットワーク管理のためのシステムであって、前記少なくとも１つの代替の通信プロトコルが、ＳＮＭＰ、ＣＯＲＢＡ、ＦＴＰ／ＴＦＴＰ、ＴＬ１、およびＣＬＩの組から選択される、ネットワーク管理のためのシステム。
【請求項５】
請求項３に記載のネットワーク管理のためのシステムであって、前記管理下のネットワークは第２の複数のネットワーク・エレメントを含み、前記第２の複数のネットワーク・エレメントは前記少なくとも１つの代替の標準通信プロトコルを使用して前記アダプタを介して通信する、ネットワーク管理のためのシステム。
【請求項６】
請求項１に記載のネットワーク管理のためのシステムであって、前記ＥＭＳは、前記ＰＩＭプレゼンス・サービスを介して提供される前記複数のネットワーク・エレメントのプレゼンティティを格納するために、管理されるオブジェクト・リポジトリを更に組み込む、ネットワーク管理のためのシステム。
【請求項７】
請求項１に記載のネットワーク管理のためのシステムであって、前記ＰＩＭはＸＭＬフォーマットを使用する、ネットワーク管理のためのシステム。
【請求項８】
請求項１に記載のネットワーク管理のためのシステムであって、前記ＥＭＳは、障害管理・コンフィギュレーション管理・会計管理・性能管理およびセキュリティ管理（ＦＣＡＰＳ）モジュールを更に含み、前記モジュールは前記ＰＩＭを介して通信するように構成される、ネットワーク管理のためのシステム。
【請求項９】
請求項１に記載のネットワーク管理のためのシステムであって、前記ＥＭＳはオペレータ・インターフェイスのための手段（１８）を更に含む、ネットワーク管理のためのシステム。
【請求項１０】
請求項９に記載のネットワーク管理のためのシステムであって、前記オペレータ・インターフェイスのための手段は、グラフィカル・ユーザ・インターフェイス（ＧＵＩ）を含む、ネットワーク管理のためのシステム。
【請求項１１】
完全に統合されたネットワーク管理システムであって、
複数のネットワーク・エレメント（２８ａ、２８ｂ、２８ｃ）と、
前記複数のネットワーク・エレメントに接続される少なくとも１つのエレメント管理システム（ＥＭＳ）（１４）と、
前記ＥＭＳから北側インターフェイス（４６）を介して接続されるネットワーク管理システム（ＮＭＳ）（１２）と、
前記ＮＭＳから北側インターフェイスを介して接続されるサービス管理システム（ＳＭＳ）（５４）と、
前記ＥＭＳと、前記ネットワーク・エレメント、前記ＥＭＳ、前記ＮＭＳ、および前記ＳＭＳに動作可能に関連付けられる複数のＰＩＭクライアント（５２）とにインターフェイスされるプレゼンスおよびインスタント・メッセージング（ＰＩＭ）エンジン（５０）であって、前記ＰＩＭクライアントが前記ＰＩＭエンジンと論理的に通信し、前記ＰＩＭエンジンおよび前記ＰＩＭクライアントが前記ＥＭＳ、前記ＮＭＳ、前ＳＭＳ、および前ネットワーク・エレメントの間のプレゼンス・サービスおよびインスタント・メッセージングを提供する、プレゼンスおよびインスタント・メッセージング（ＰＩＭ）エンジンと
を備える完全に統合されたネットワーク管理システム。
【請求項１２】
ネットワーク管理システム（ＮＭＳ）および少なくとも１つのエレメント管理システム（ＥＭＳ）を使用する複数のネットワーク・エレメントを備えるネットワークの管理のための方法であって、
ネットワーク・プレゼンスおよびインスタント・メッセージング（ＰＩＭ）エンジンを提供するステップと、
前記複数のネットワーク・エレメントおよび前記ＥＭＳのそれぞれに関連付けられる複数のＰＩＭクライアントを提供するステップと、
前記ＰＩＭエンジンおよび前記クライアントを介してプレゼンティティによって前記ネットワークの任意のエレメントのプレゼンスを通信するステップと、
前記ＥＭＳにおいてプレゼンティティのデータベースを維持するステップと、
前記ＰＩＭエンジンおよび前記クライアントを介してインスタント・メッセージングによって前記ＥＭＳと前記ネットワーク・エレメントとの間で通信するステップと
を備えるネットワークの管理のための方法。
【請求項１３】
請求項１２に記載のネットワークの管理のための方法であって、
前記ＮＭＳに関連付けられるＰＩＭクライアントを提供するステップと、
前記ＰＩＭエンジンおよび前記クライアントを介してプレゼンティティによって前記ＮＭＳおよび前記ＥＭＳのプレゼンスを通信するステップと、
前記ＰＩＭエンジンおよび前記クライアントを介してインスタント・メッセージングによって前記ＥＭＳと前記ＮＭＳとの間で通信するステップと
を更に備えるネットワークの管理のための方法。
【請求項１４】
請求項１２に記載のネットワークの管理のための方法であって、前記ＥＭＳは、故障管理・コンフィギュレーション管理・会計管理・性能管理およびセキュリティ管理（ＦＣＡＰＳ）モジュールを含み、前記ＥＭＳと前記ネットワーク・エレメントとの間の通信を行う前記ステップが
プレゼンス・サービスおよびインスタント・メッセージングによって、故障管理、コンフィギュレーション管理、会計管理、性能管理、およびセキュリティ管理のデータを通信するステップ
を含む、
ネットワークの管理のための方法。
【請求項１５】
請求項１２に記載のネットワークの管理のための方法であって、サービス管理システム（ＳＭＳ）が前記ネットワークに組み込まれており、
前記ＳＭＳに関連付けられるＰＩＭクライアントを提供するステップと、
前記ＰＩＭエンジンおよび前記クライアントを介してプレゼンティティによって前記ＳＭＳのプレゼンスを通信するステップと、
前記ＰＩＭエンジンおよび前記クライアントを介してインスタント・メッセージングによって前記ＥＭＳ、ＮＭＳ、およびＳＭＳの間で通信するステップと
を更に備えるネットワークの管理のための方法。
【請求項１６】
請求項１５に記載のネットワークの管理のための方法であって、バディ・グループを使用して、前記ＳＭＳ、ＮＭＳ、およびＥＭＳの間の管理関係を維持するステップを更に備えるネットワークの管理のための方法。
【請求項１７】
請求項１５に記載のネットワークの管理のための方法であって、前記ネットワークはセキュリティ・サーバを含み、更に、
プレゼンスを通信する前記ステップが、セキュリティ・プロフィール情報を含めるステップを更に備え、
前記ＰＩＭエンジンおよび前記クライアントを介してインスタント・メッセージングによって前記ネットワーク・エレメント、ＥＭＳ、ＮＭＳ、およびＳＭＳの間で通信する前記ステップが、前記セキュリティ・プロフィールに基づいて通信応答を制限するステップを更に備える、
ネットワークの管理のための方法。
【請求項１８】
請求項１５に記載のネットワークの管理のための方法であって、前記プレゼンスおよびインスタント・メッセージング・サービスを使用してネットワーク／サービス・リソースのアベラビリティを監視するステップを更に備えるネットワークの管理のための方法。
【請求項１９】
請求項１５に記載のネットワークの管理のための方法であって、ドメインベースのネットワーク管理をサポートするために、すべての関連のオペレータをＰＩＭクライアントとして、管理下の前記ネットワーク・エレメントおよび前記ＮＭＳ／ＥＭＳコンポーネントと共に、バディ・グループに含めるステップを更に備えるネットワークの管理のための方法。